(57)【要約】【課題】加熱調理器と外部端末との通信が突然切断されることを回避することができる技術を提供する。【解決手段】加熱用スイッチがオンのときには電源から加熱制御部に電力が供給されて前記加熱制御部が加熱部の動作を制御可能な状態になる共に前記電源から通信制御部に電力が供給されて前記通信制御部が通信部の動作を制御可能な状態になり、通信用スイッチがオンのときには前記電源から前記通信制御部に電力が供給されて前記通信制御部が前記通信部の動作を制御可能な状態になるように構成されている。スイッチ制御部は、前記加熱用スイッチがオンになると前記通信用スイッチをオンにすると共に、前記加熱用スイッチがオフになった後に所定条件が成立するまで前記通信用スイッチをオンに維持し、所定条件が成立した場合は前記通信用スイッチをオフにする。【選択図】図７
2020165588.tif 000002
【特許請求の範囲】
【請求項１】
加熱調理器であって、
被加熱物を加熱可能な加熱部と、
外部端末と通信可能な通信部と、
前記加熱部の動作を制御する加熱制御部と、
前記通信部の動作を制御する通信制御部と、
前記加熱制御部と前記通信制御部に電力を供給する電源と、
前記加熱制御部と前記通信制御部への給電を開始するためのオン操作と、前記加熱制御部と前記通信制御部への給電を終了するためのオフ操作と、を受け付ける給電操作部と、
前記加熱制御部と前記通信制御部と直列で前記電源に接続され、前記給電操作部が受け付ける前記オン操作に連動してオンになり、前記給電操作部が受け付ける前記オフ操作に連動してオフになる加熱用スイッチと、
前記通信制御部と直列で前記電源に接続される一方で前記加熱制御部と並列で前記電源に接続される通信用スイッチと、
前記通信用スイッチの動作を制御するスイッチ制御部と、を備えており、
前記加熱用スイッチがオンのときには前記電源から前記加熱制御部に電力が供給されて前記加熱制御部が前記加熱部の動作を制御可能な状態になると共に前記電源から前記通信制御部に電力が供給されて前記通信制御部が前記通信部の動作を制御可能な状態になり、前記通信用スイッチがオンのときには前記電源から前記通信制御部に電力が供給されて前記通信制御部が前記通信部の動作を制御可能な状態になるように構成されており、
前記スイッチ制御部は、前記加熱用スイッチがオンになると前記通信用スイッチをオンにすると共に、前記加熱用スイッチがオフになった後に所定条件が成立するまで前記通信用スイッチをオンに維持し、前記所定条件が成立した場合は前記通信用スイッチをオフにする、加熱調理器。
【請求項２】
前記給電操作部が前記オン操作を受け付けると前記加熱部で加熱が開始され、前記給電操作部が前記オフ操作を受け付けると前記加熱部での加熱が終了する、請求項１に記載の加熱調理器。
【請求項３】
前記スイッチ制御部は、前記加熱用スイッチがオフになった後に所定時間が経過した場合は、前記所定条件が成立したと判断して前記通信用スイッチをオフにする、請求項１又は２に記載の加熱調理器。
【請求項４】
前記通信制御部は、前記外部端末から送信される複数の工程情報を含むレシピ情報を前記通信部を介して受信可能であり、
前記スイッチ制御部は、前記通信制御部が前記レシピ情報に含まれる全ての前記工程情報を受信した場合は、前記所定条件が成立したと判断して前記通信用スイッチをオフにする、請求項１又は２に記載の加熱調理器。
【請求項５】
前記スイッチ制御部は、前記加熱用スイッチがオフになった後に前記加熱調理器と前記外部端末との間で所定の通信接続が確立された場合は、前記通信用スイッチをオフにしない、請求項１又は２に記載の加熱調理器。
【発明の詳細な説明】
【技術分野】
【０００１】
本明細書で開示する技術は、加熱調理器に関する。
【背景技術】
【０００２】
特許文献１には加熱調理器が開示されている。特許文献１の加熱調理器は、被加熱物を加熱可能な加熱部と、外部端末と通信可能な通信部と、加熱部の動作を制御する加熱制御部と、通信部の動作を制御する通信制御部と、加熱制御部と通信制御部に電力を供給する電源と、を備えている。また、加熱調理器は、加熱制御部と通信制御部への給電を開始するためのオン操作と、加熱制御部と通信制御部への給電を終了するためのオフ操作と、を受け付ける電源ボタンを備えている。
【先行技術文献】
【特許文献】
【０００３】
【特許文献１】特開２０１８−４０５１５号公報
【発明の概要】
【発明が解決しようとする課題】
【０００４】
特許文献１の加熱調理器では、電源ボタンがオフ操作を受け付けると電源の電力が通信制御部に供給されなくなり、加熱調理器と外部端末との間で通信ができない状態になる。この構成では、例えば、加熱調理器と外部端末が通信している最中に加熱調理器のユーザが誤って電源スイッチをオフ操作すると、通信が途中で切断されることになる。そのため、例えば、加熱調理器の通信制御部が外部端末から自動調理のレシピ情報を受信している最中に、電源スイッチが誤ってオフ操作されるとレシピ情報の全てを受信することができず、レシピ情報の一部しか受信できなくなる。
【０００５】
本明細書では、加熱調理器と外部端末との通信が突然切断されることを回避することができる技術を提供する。
【課題を解決するための手段】
【０００６】
本明細書によって開示される加熱調理器は、被加熱物を加熱可能な加熱部と、外部端末と通信可能な通信部と、前記加熱部の動作を制御する加熱制御部と、前記通信部の動作を制御する通信制御部と、前記加熱制御部と前記通信制御部に電力を供給する電源と、前記加熱制御部と前記通信制御部への給電を開始するためのオン操作と、前記加熱制御部と前記通信制御部への給電を終了するためのオフ操作と、を受け付ける給電操作部と、前記加熱制御部と前記通信制御部と直列で前記電源に接続され、前記給電操作部が受け付ける前記オン操作に連動してオンになり、前記給電操作部が受け付ける前記オフ操作に連動してオフになる加熱用スイッチと、前記通信制御部と直列で前記電源に接続される一方で前記加熱制御部と並列で前記電源に接続される通信用スイッチと、前記通信用スイッチの動作を制御するスイッチ制御部と、を備えていてもよい。加熱調理器は、前記加熱用スイッチがオンのときには前記電源から前記加熱制御部に電力が供給されて前記加熱制御部が前記加熱部の動作を制御可能な状態になる共に前記電源から前記通信制御部に電力が供給されて前記通信制御部が前記通信部の動作を制御可能な状態になり、前記通信用スイッチがオンのときには前記電源から前記通信制御部に電力が供給されて前記通信制御部が前記通信部の動作を制御可能な状態になるように構成されている。前記スイッチ制御部は、前記加熱用スイッチがオンになると前記通信用スイッチをオンにすると共に、前記加熱用スイッチがオフになった後に所定条件が成立するまで前記通信用スイッチをオンに維持し、前記所定条件が成立した場合は前記通信用スイッチをオフにする。
【０００７】
この構成によれば、給電操作部がオフ操作されることによって加熱用スイッチがオフになったとしても、所定条件が成立するまで通信用スイッチがオンに維持されることによって、電源の電力が通信制御部に供給され続けて通信制御部が通信部の動作を制御可能な状態が維持される。そのため、加熱調理器と外部端末との通信が突然切断されることを回避することができる。例えば、加熱調理器のユーザが誤って給電操作部をオフ操作してしまったとしても、加熱調理器と外部端末との通信が直ちに切断されることを回避できるので、情報の送受信を続けることができる。例えば、加熱調理器の通信制御部が外部端末からレシピ情報を受信している最中に給電操作部が誤ってオフ操作されてしまったとしても、通信が突然切断されることが回避され、レシピ情報を受信し続けることができる。
【０００８】
加熱調理器は、前記給電操作部が前記オン操作を受け付けると前記加熱部で加熱が開始され、前記給電操作部が前記オフ操作を受け付けると前記加熱部での加熱が終了する構成であってもよい。
【０００９】
この構成では、給電操作部が受け付けるオフ操作に連動して加熱用スイッチがオフになると共に加熱部での加熱が終了する。この構成によれば、例えば、加熱調理器のユーザが加熱部の加熱量を調整する際に誤って給電操作部をオフ操作してしまったとしても、加熱調理器と外部端末との通信が突然切断されることを回避することができる。
【００１０】
前記スイッチ制御部は、前記加熱用スイッチがオフになった後に所定時間が経過した場合は、前記所定条件が成立したと判断して前記通信用スイッチをオフにしてもよい。
【００１１】
この構成によれば、給電操作部がオフ操作を受け付けたとしても、所定時間が経過するまで加熱調理器と外部端末との通信が切断されることを回避することができる。通信時間を確保することができる。
【００１２】
前記通信制御部は、前記外部端末から送信される複数の工程情報を含むレシピ情報を前記通信部を介して受信可能であってもよい。前記スイッチ制御部は、前記通信制御部が前記レシピ情報に含まれる全ての前記工程情報を受信した場合は、前記所定条件が成立したと判断して前記通信用スイッチをオフにしてもよい。
【００１３】
この構成によれば、給電操作部がオフ操作を受け付けたとしても、通信制御部がレシピ情報に含まれる全ての工程情報を受信するまで加熱調理器と外部端末との通信が切断されることを回避することができる。全ての工程情報を受信することができる。
【００１４】
前記スイッチ制御部は、前記加熱用スイッチがオフになった後に前記加熱調理器と前記外部端末との間で所定の通信接続が確立された場合は、前記通信用スイッチをオフにしなくてもよい。
【００１５】
この構成によれば、加熱調理器と外部端末との間で所定の通信接続が確立された場合は、加熱調理器と外部端末との間で情報の送受信が行われる可能性がある。このような場合に、上記の構成によれば、加熱調理器と外部端末との通信が切断されることを回避することができる。
【図面の簡単な説明】
【００１６】
【図１】実施例に係る加熱調理器システムの概要を示す図である。
【図２】実施例に係る加熱調理器システムのブロック図である。
【図３】本実施例に係る加熱調理器の配管図である。
【図４】実施例に係る加熱調理器の回路図である。
【図５】第１実施例に係る加熱調理器システムで実行される給電開始処理のフローチャートである。
【図６】第１実施例に係る加熱調理器システムで実行される送受信処理のシーケンス図である。
【図７】第１実施例に係る加熱調理器システムで実行される給電終了処理のフローチャートである。
【図８】第３実施例に係る加熱調理器システムで実行される給電終了処理のフローチャートである。
【図９】第４実施例に係る加熱調理器システムで実行される給電終了処理のフローチャートである。
【発明を実施するための形態】
【００１７】
（第１実施例）
実施例に係る加熱調理器システム１について図面を参照して説明する。図１に示すように、加熱調理器システム１は、加熱調理器１０と、外部端末１００と、を備えている。
【００１８】
加熱調理器１０と外部端末１００は、両者の間でＢｌｕｅｔｏｏｔｈ（登録商標）方式に従った無線通信を実行可能である。即ち、加熱調理器１０と外部端末１００との距離が所定距離以下まで近接する場合、加熱調理器１０と外部端末１００との間でＢｌｕｅｔｏｏｔｈ無線接続が確立され、相互に無線通信が可能になる。以下では、Ｂｌｕｅｔｏｏｔｈのことを単に「ＢＴ」と呼ぶ場合がある。また、ＢＴ方式に従った無線通信のことを「ＢＴ通信」と呼ぶ場合がある。なお、他の例では、加熱調理器１０と外部端末１００とは、ＢＴ方式に限られず、他の方式（例えば、Ｗｉ−Ｆｉ（登録商標）方式、他の近距離無線通信方式、等）に従って無線通信を実行可能であってもよい。
【００１９】
（加熱調理器１０の構成；図１、図２）
加熱調理器１０は、システムキッチンに組み込んで使用されるガス燃焼式のビルトインコンロである。加熱調理器１０は、本体１０ａと、３個のコンロバーナ１２ａ、１２ｂ、１２ｃと、１個のグリルバーナ１２ｄと、を備えている。また、加熱調理器１０は、３個のコンロ加熱量操作部６１ａ、６１ｂ、６１ｃと、１個のグリル加熱量操作部６１ｄと、３個のコンロパネル操作部６２ａ、６２ｂ、６２ｃと、１個のグリルパネル操作部６２ｄと、を備えている。また、加熱調理器１０は、コンロ表示部１４ａと、グリル表示部１４ｂと、電源ボタン３０と、を備えている。以下では、主に１個のコンロバーナ１２ａに着目して説明する。他の２個のコンロバーナ１２ｂ、１２ｃと、１個のグリルバーナ１２ｄについても同様の技術を適用することができる。
【００２０】
本体１０ａは、加熱調理器１０の電源としての乾電池３４が収容される電池収容部３２を備えている。本体１０ａの前面に電源ボタン３０が配置されている。電源ボタン３０は、給電を開始するためのオン操作と、給電を終了するためのオフ操作と、を受け付ける。本体１０ａの上部にはコンロバーナ１２ａが配置されている。
【００２１】
コンロバーナ１２ａは、被加熱物（例えば鍋）を加熱可能なバーナである。コンロ加熱量操作部６１ａは、コンロバーナ１２ａの点火及び消火とコンロバーナ１２ａの加熱量の調整を行うための操作部である。ユーザによってコンロ加熱量操作部６１ａを消火位置から点火位置に移動させるための操作（以下では、「点火操作」と呼ぶ）が実行されると、コンロバーナ１２ａが点火される。ユーザによってコンロ加熱量操作部６１ａを点火位置から消火位置に移動させるための操作（以下では、「消火操作」と呼ぶ）が実行されると、コンロバーナ１２ａが消火される。点火位置とは、コンロ加熱量操作部６１ａの前面が本体１０ａの前面よりも前方に突出している位置であり、消火位置とは、コンロ加熱量操作部６１ａが本体１０ａ内に収容されている位置である。また、ユーザは、コンロ加熱量操作部６１ａが点火位置に位置している状態において、コンロ加熱量操作部６１ａを時計方向又は反時計方向に操作することで、コンロバーナ１２ａの加熱量を調整することができる。コンロパネル操作部６２ａは、コンロバーナ１２ａを利用した自動調理の設定等を受け付け可能な操作部である。
【００２２】
コンロ表示部１４ａは、３個のコンロバーナ１２ａ、１２ｂ、１２ｃのそれぞれの動作状態や実行中の機能に関する情報（例えば、自動調理のレシピ情報、調理モード等）を表示するためのディスプレイである。グリル表示部１４ｂは、グリルバーナ１２ｄの動作状態や実行中の機能に関する情報を表示するためのディスプレイである。
【００２３】
図３に示すように、加熱調理器１０は、３個のコンロガス供給路４０ａ、４０ｂ、４０ｃと、１個のグリルガス供給路４０ｄと、を備えている。また、加熱調理器１０は、３個のコンロ安全弁４２ａ、４２ｂ、４２ｃと、１個のグリル安全弁４２ｄと、３個のコンロ流量調整弁４４ａ、４４ｂ、４４ｃと、１個のグリル流量調整弁４４ｄと、を備えている。また、加熱調理器１０は、３個のコンロ点火プラグ１８ａ、１８ｂ、１８ｃと、１個のグリル点火プラグ１８ｄと、を備えている。
【００２４】
コンロガス供給路４０ａは、ガス供給源（図示省略）からコンロバーナ１２ａにガスを供給する。コンロガス供給路４０ａにコンロ安全弁４２ａとコンロ流量調整弁４４ａが設けられている。コンロ安全弁４２ａは、コンロガス供給路４０ａを開閉する。コンロ安全弁４２ａが開弁すると、コンロバーナ１２ａにガスが供給され、コンロ安全弁４２ａが閉弁すると、コンロバーナ１２ａにガスが供給されなくなる。コンロ安全弁４２ａは、上述したコンロ加熱量操作部６１ａに連動して動作する。コンロ加熱量操作部６１ａが点火操作されると、コンロ安全弁４２ａが開弁し、コンロ加熱量操作部６１ａが消火操作されると、コンロ安全弁４２ａが閉弁する。
【００２５】
コンロ流量調整弁４４ａは、コンロガス供給路４０ａを流れるガスの流量を調整する。コンロ流量調整弁４４ａは、ステッピングモータ（図示省略）の回転動作によって開度調整される。コンロ流量調整弁４４ａは、上述したコンロ加熱量操作部６１ａに連動して動作する。例えば、コンロ加熱量操作部６１ａが時計方向に回転操作されると、コンロ流量調整弁４４ａの開度が大きくなり、コンロバーナ１２ａに供給されるガスの流量が大きくなる。また、コンロ加熱量操作部６１ａが反時計方向に回転操作されると、コンロ流量調整弁４４ａの開度が小さくなり、コンロバーナ１２ａに供給されるガスの流量が小さくなる。
【００２６】
コンロ点火プラグ１８ａは、スパークすることによって、コンロバーナ１２ａに供給されたガスに着火する装置である。コンロ点火プラグ１８ａは、コンロ加熱量操作部６１ａが点火操作されるとスパークする。
【００２７】
図２に示すように、加熱調理器１０は、加熱制御用基板７０と、通信制御用基板８０と、を更に備えている。加熱制御用基板７０と通信制御用基板８０は、本体１０ａの内部において互いに分離された状態で配置されている。なお、加熱制御用基板７０と通信制御用基板８０は、それぞれに電力を供給するための回路が別であれば同一の基板に配置されていてもよい。
【００２８】
加熱制御用基板７０は、ＣＰＵを含む加熱制御部７２を備えている。加熱制御部７２は、ＲＯＭ、ＲＡＭ、ハードディスク等によって構成される第１メモリ７４を備えている。加熱制御部７２は、上述したコンロバーナ１２ａ、コンロ加熱量操作部６１ａ、コンロパネル操作部６２ａ、コンロ表示部１４ａと電気的に接続されており、これらの各要素の動作を制御することができる。
【００２９】
通信制御用基板８０は、ＢＴインターフェース８６と、ＣＰＵを含む通信制御部８２と、スイッチ制御部５０と、を備えている。以下ではインターフェースのことを単に「Ｉ／Ｆ」と記載する。ＢＴＩ／Ｆ８６は、外部端末１００との間でＢＴ通信を可能にするためのＩ／Ｆである。即ち、加熱調理器１０と外部端末１００とが所定距離まで近接すると、加熱調理器１０と外部端末１００との間で、ＢＴＩ／Ｆ８６及びＢＴＩ／Ｆ１２６（後述）を介してＢＴ接続（図１、２の破線矢印参照）が確立する。ＢＴ接続が確立すると、加熱調理器１０と外部端末１００は、ＢＴ接続を介したＢＴ通信を相互に実行することができる。
【００３０】
通信制御部８２は、ＲＯＭ、ＲＡＭ、ハードディスク等によって構成される第２メモリ８４を備えている。通信制御部８２は、ＢＴＩ／Ｆ８６と電気的に接続されており、ＢＴＩ／Ｆ８６の動作を制御することができる。
【００３１】
図４に示すように、加熱制御用基板７０と通信制御用基板８０は、乾電池３４に電気的に接続されている。加熱制御用基板７０と通信制御用基板８０は、加熱用スイッチ９０を介して直列で乾電池３４に接続されている。また、通信制御用基板８０は、通信用スイッチ９４を介して乾電池３４に接続されている。通信用スイッチ９４は、加熱制御用基板７０及び加熱用スイッチ９０と並列で乾電池３４に接続されている。
【００３２】
加熱用スイッチ９０は、上述した電源ボタン３０に機械的に接続されている。加熱用スイッチ９０は、電源ボタン３０が受け付ける操作に連動してオン／オフが切り替わる。電源ボタン３０がオン操作を受け付けると、加熱用スイッチ９０がオンになる。電源ボタン３０がオフ操作を受け付けると、加熱用スイッチ９０がオフになる。加熱用スイッチ９０がオンになると、乾電池３４から加熱制御用基板７０と通信制御用基板８０に電力が供給される。加熱用スイッチ９０がオンになると、加熱制御用基板７０に設けられている加熱制御部７２に乾電池３４の電力が供給される（図２参照）。また、通信制御用基板８０に設けられている通信制御部８２に乾電池３４の電力が供給される（図２参照）。加熱制御部７２は、乾電池３４から電力が供給されることによって、上述したコンロバーナ１２ａ、コンロ表示部１４ａ等の動作を制御可能な状態になる。通信制御部８２は、乾電池３４から電力が供給されることによって、上述したＢＴＩ／Ｆ８６の動作を制御可能な状態になる。
【００３３】
通信用スイッチ９４は、半導体スイッチであり、ゲートＧとソースＳとドレインＤを備えている。通信用スイッチ９４のゲートＧにオン電圧が印加されるとソースＳとドレインＤの間にチャネルが形成されて通信用スイッチ９４がオンになる。ゲートＧに印加されているオン電圧が解除されると通信用スイッチ９４がオフになる。通信用スイッチ９４がオンになると、通信制御用基板８０に設けられている通信制御部８２に乾電池３４の電力が供給される（図２、３参照）。加熱用スイッチ９０がオフの状態であっても、通信用スイッチ９４がオンになると通信制御部８２に電力が供給される。通信制御部８２は、乾電池３４から電力が供給されることによって、上述したＢＴＩ／Ｆ８６の動作を制御可能な状態になる。
【００３４】
通信用スイッチ９４のゲートＧにはスイッチ制御部５０が接続されている。スイッチ制御部５０は、通信用スイッチ９４のゲートＧにオン電圧を印加することによって通信用スイッチ９４をオンにすることができる。また、スイッチ制御部５０は、ゲートＧに印加したオン電圧を解除することによって通信用スイッチ９４をオフにすることができる。また、スイッチ制御部５０は、加熱用スイッチ９０がオフからオンに切り換わったこと、及び、オンからオフに切り換わったことを判別することができる。
【００３５】
（外部端末１００の構成；図１、図２）
外部端末１００は、例えば、スマートフォンである。他の例では、外部端末１００は、タブレット端末、デスクトップＰＣ、ノートＰＣ等であってもよい。図１に示すように、外部端末１００は、表示操作部１０２を備えている。表示操作部１０２は、タッチパネルとして機能する。表示操作部１０２は、様々な情報を表示することができる。また、表示操作部１０２は、様々な操作を受け付けることができる。
【００３６】
図２に示すように、外部端末１００は、端末制御用基板１２０を備えている。端末制御用基板１２０は、ＢＴＩ／Ｆ１２６と、ＣＰＵを含む端末制御部１２２と、を備えている。
【００３７】
ＢＴＩ／Ｆ１２６は、加熱調理器１０との間でＢＴ通信を可能にするためのＩ／Ｆである。上述した通り、加熱調理器１０と外部端末１００とが所定距離まで近接すると、ＢＴ接続（図１、２の破線矢印参照）が確立する。ＢＴ接続が確立すると、加熱調理器１０と外部端末１００は、ＢＴ接続を介したＢＴ通信を相互に実行することができる。
【００３８】
端末制御部１２２は、ＢＴＩ／Ｆ１２６と電気的に接続されており、ＢＴＩ／Ｆ１２６の動作を制御することができる。端末制御部１２２は、ＲＯＭ、ＲＡＭ、ハードディスク等によって構成される端末メモリ１２４を備えている。端末メモリ１２４には自動調理のレシピ情報が記憶されている。レシピ情報は、自動調理の複数の工程情報を含んでいる。
【００３９】
（給電開始処理；図５）
次に、上記の加熱調理器システム１で実行される給電開始処理について説明する。図５に示す給電開始処理は、加熱調理器１０の電源ボタン３０がオン操作を受け付けると（加熱調理器１０のユーザが電源ボタン３０のオン操作を実行すると）開始される。
【００４０】
電源ボタン３０がオン操作を受け付けると、それに連動して加熱用スイッチ９０がオンになる（Ｓ１０）。加熱用スイッチ９０がオンになると、加熱制御部７２と通信制御部８２への給電が開始される（Ｓ１０、図２、４参照）。乾電池３４の電力が加熱制御部７２と通信制御部８２に供給される。これによって、加熱制御部７２がコンロバーナ１２ａの動作を制御可能な状態になると共に、通信制御部８２がＢＴＩ／Ｆ８６の動作を制御可能な状態になる。
【００４１】
続くＳ１２では、スイッチ制御部５０が、通信用スイッチ９４をオンにする。スイッチ制御部５０は、加熱用スイッチ９０がオフからオンに切り換わったこと（Ｓ１０参照）を判別して通信用スイッチ９４をオンにする。通信用スイッチ９４をオンになると、通信用スイッチ９４を介して乾電池３４の電力が通信制御部８２に供給される（図４参照）。
【００４２】
（送受信処理；図６）
次に、上記の加熱調理器システム１で実行される送受信処理について説明する。図６に示す送受信処理は、加熱調理器１０と外部端末１００との間でレシピ情報の複数の工程情報を送受信する処理である。レシピ情報は、例えば、２つの工程情報（第１工程情報と第２工程情報）を含んでいる。各工程情報は、自動調理の各工程に対応している。送受信処理は、加熱調理器１０と外部端末１００との間でＢＴ接続が確立されると開始される。
【００４３】
送受信処理では、まず、外部端末１００の端末制御部１２２が、端末メモリ１２４に記憶されているレシピ情報の第１工程情報を、ＢＴＩ／Ｆ１２６を介して加熱調理器１０に送信する（Ｓ３０）。そうすると、加熱調理器１０の通信制御部８２が、ＢＴＩ／Ｆ８６を介して第１工程情報を受信する。
【００４４】
加熱調理器１０の通信制御部８２は、第１工程情報を受信すると、第１受信完了情報を生成し、生成した第１受信完了情報をＢＴＩ／Ｆ８６を介して外部端末１００に送信する（Ｓ３２）。そうすると、外部端末１００の端末制御部１２２が、ＢＴＩ／Ｆ１２６を介して第１受信完了情報を受信する。第１受信完了情報は、通信制御部８２が第１工程情報を受信したことを示す情報である。
【００４５】
外部端末１００の端末制御部１２２は、第１受信完了情報を受信すると、端末メモリ１２４に記憶されているレシピ情報の第２工程情報を、第１工程情報と同様に加熱調理器１０に送信する（Ｓ３４）。また、端末制御部１２２は、第２工程情報と共に送信完了情報を加熱調理器１０に送信する（Ｓ３４）。そうすると、加熱調理器１０の通信制御部８２が、第１工程情報と同様に第２工程情報を受信する。また、通信制御部８２が、第２工程情報と共に送信完了情報を受信する。送信完了情報は、レシピ情報に含まれる全ての工程情報を端末制御部１２２が送信したことを示す情報である。
【００４６】
加熱調理器１０の通信制御部８２は、第２工程情報を受信すると、第２受信完了情報を生成し、生成した第２受信完了情報を第１受信完了情報と同様に外部端末１００に送信する（Ｓ３６）。そうすると、外部端末１００の端末制御部１２２が、第１受信完了情報と同様に第２受信完了情報を受信する。第２受信完了情報は、通信制御部８２が第２工程情報を受信したことを示す情報である。以上によって送受信処理が完了する。なお、Ｓ３４で端末制御部１２２が第２工程情報のみを加熱調理器１０に送信し、Ｓ３６で通信制御部８２が第２受信完了情報を外部端末１００に送信し、端末制御部１２２がその第２受信完了情報を受信した後に、端末制御部１２２が送信完了情報を加熱調理器１０に送信してもよい。
【００４７】
（給電終了処理；図７）
次に、上記の加熱調理器システム１で実行される給電終了処理について説明する。図７に示す給電終了処理は、加熱調理器１０の電源ボタン３０がオフ操作を受け付けると（加熱調理器１０のユーザが電源ボタン３０のオフ操作を実行すると）開始される。
【００４８】
電源ボタン３０がオフ操作を受け付けると、それに連動して加熱用スイッチ９０がオフになる（Ｓ２０）。加熱用スイッチ９０がオフになると、加熱制御部７２への給電が終了する（Ｓ２０、図２、４参照）。乾電池３４の電力が加熱制御部７２に供給されなくなる。一方、スイッチ制御部５０が通信用スイッチ９４をオンにしているので（図５のＳ１２参照）、通信制御部８２には乾電池３４の電力が供給され続ける。
【００４９】
続くＳ２２では、スイッチ制御部５０が、通信用スイッチ９４をオフにするタイミングを計測するためのタイマーをセットする。スイッチ制御部５０は、加熱用スイッチ９０がオンからオフに切り換わったこと（Ｓ２０参照）を判別してタイマーをセットする。タイマーセットされる所定時間は例えば１分である。
【００５０】
続くＳ２４では、スイッチ制御部５０が、Ｓ２２でタイマーセットした所定時間（例えば１分）が経過したか否かを判断する。所定時間が経過した場合は、スイッチ制御部５０がＹＥＳと判断してＳ２６に進む。そうでない場合は、スイッチ制御部５０がＮＯと判断して待機する。所定時間が経過するまでスイッチ制御部５０が通信用スイッチ９４をオンに維持する。そのため、乾電池３４の電力が通信制御部８２に供給され続け、通信制御部８２がＢＴＩ／Ｆ８６の動作を制御可能な状態が維持される。
【００５１】
続くＳ２６では、スイッチ制御部５０が、通信用スイッチ９４をオフにする。通信用スイッチ９４がオフになると、通信制御部８２への給電が終了する。乾電池３４の電力が通信制御部８２に供給されなくなる。
【００５２】
以上、第１実施例について説明した。以上の説明から明らかなように、上記の加熱調理器１０は、加熱用スイッチ９０がオンのときには乾電池３４から加熱制御部７２に電力が供給されて加熱制御部７２がコンロバーナ１２ａの動作を制御可能な状態になると共に、乾電池３４から通信制御部８２に電力が供給されて通信制御部８２がＢＴＩ／Ｆ８６の動作を制御可能な状態になるように構成されている。また、加熱調理器１０は、通信用スイッチ９４がオンのときには乾電池３４から通信制御部８２に電力が供給されて通信制御部８２がＢＴＩ／Ｆ８６の動作を制御可能な状態になるように構成されている。また、上記の加熱調理器１０では、スイッチ制御部５０が、加熱用スイッチ９０がオンになると通信用スイッチ９４をオンにすると共に（図５のＳ１０、Ｓ１２）、加熱用スイッチ９０がオフになった後に所定時間が経過するまで通信用スイッチ９４をオンに維持し、所定時間が経過したした場合は通信用スイッチ９４をオフにする（図６のＳ２０−Ｓ２６）。
【００５３】
この構成によれば、加熱用スイッチ９０がオフになった後にも所定時間が経過するまで乾電池３４の電力が通信制御部８２に供給され続けて通信制御部８２がＢＴＩ／Ｆ８６の動作を制御可能な状態が維持される。そのため、加熱調理器１０と外部端末１００との通信が突然切断されることを回避することができる。例えば、加熱調理器１０と外部端末１００との通信中に加熱調理器１０のユーザが誤って電源ボタン３０のオフ操作を実行してしまったとしても通信が突然切断されることを回避することができる。これによって、例えば、加熱調理器１０の通信制御部８２が外部端末１００からレシピ情報を受信している最中に通信が突然切断されることを回避でき、レシピ情報を受信し続けることができる。通信時間を確保することができる。
【００５４】
（対応関係）
上述したコンロバーナ１２ａが「加熱部」の一例である。ＢＴＩ／Ｆ８６が「通信部」の一例である。乾電池３４が「電源」の一例である。電源ボタン３０が「給電操作部」の一例である。所定時間が経過した場合（Ｓ２４でＹＥＳ）が、「所定条件が成立した場合」の一例である。
【００５５】
以上、一実施例について説明したが、具体的な態様は上記実施例に限定されるものではない。以下の説明において、上述の説明における構成と同様の構成については、同一の符号を付して説明を省略する。
【００５６】
（第２実施例）
上述した第１実施例では電源ボタン３０が「給電操作部」の一例であったが、この構成に限定されるものではない。第２実施例では、コンロ加熱量操作部６１ａが「給電操作部」の他の一例である。
【００５７】
第２実施例では、コンロ加熱量操作部６１ａに加熱用スイッチ９０が機械的に接続されている。加熱用スイッチ９０は、コンロ加熱量操作部６１ａが受け付ける操作に連動してオン／オフが切り替わる。コンロ加熱量操作部６１ａが点火操作（オン操作の一例）を受け付けると、加熱用スイッチ９０がオンになる（図５のＳ１０参照）。コンロ加熱量操作部６１ａが消火操作（オフ操作の一例）を受け付けると、加熱用スイッチ９０がオフになる（図７のＳ２０参照）。第２実施例では、加熱調理器１０が電源ボタン３０を備えていない。
【００５８】
以上、第２実施例について説明した。以上の説明から明らかなように、上記の加熱調理器１０では、コンロ加熱量操作部６１ａが受け付ける消火操作に連動して加熱用スイッチ９０がオフになると共にコンロバーナ１２ａでの加熱が終了する。この構成によれば、例えば、加熱調理器１０のユーザがコンロバーナ１２ａの加熱量を調整するためにコンロ加熱量操作部６１ａを操作したときに誤って消火操作を実行してしまったとしても、加熱調理器１０と外部端末１００との通信が突然切断されることを抑制することができる。
【００５９】
（第３実施例）
（給電終了処理；図８）
第３実施例に係る給電終了処理について説明する。第３実施例に係る給電終了処理では、第１実施例に係る給電終了処理（図７参照）のＳ２２、Ｓ２４の処理に代えて、図８に示すように、Ｓ４０、Ｓ４２の処理が実行される。
【００６０】
Ｓ４０では、スイッチ制御部５０が、通信制御部８２が外部端末１００からレシピ情報を受信中であるか否かを判断する。スイッチ制御部５０は、通信制御部８２にアクセスすることによってレシピ情報を受信中であるか否かを判断することができる。通信制御部８２がレシピ情報を受信中である場合は、スイッチ制御部５０がＹＥＳと判断してＳ４２に進む。スイッチ制御部５０は、例えば、通信制御部８２がレシピ情報の第１工程情報を既に受信している一方で送信完了情報を未だ受信していない場合は（図６参照）、通信制御部８２がレシピ情報を受信中であると判断することができる。通信制御部８２がレシピ情報を受信中でない場合は、スイッチ制御部５０がＮＯと判断してＳ２６に進む。
【００６１】
Ｓ４０でＹＥＳの後のＳ４２では、スイッチ制御部５０が、通信制御部８２が外部端末１００から送信完了情報を受信したか否かを判断する。送信完了情報は、レシピ情報に含まれる全ての工程情報を端末制御部１２２が送信したことを示す情報である。スイッチ制御部５０は、通信制御部８２にアクセスすることによって送信完了情報を受信したか否かを判断することができる。通信制御部８２が送信完了情報を受信した場合は、スイッチ制御部５０がＹＥＳと判断してＳ２６に進む。そうでない場合は、スイッチ制御部５０がＮＯと判断して待機する。
【００６２】
以上、第３実施例について説明した。以上の説明から明らかなように、第３実施例では、スイッチ制御部５０が、通信制御部８２が送信完了情報を受信した場合は、通信用スイッチ９４をオフにする（図８のＳ４２、Ｓ２６）。通信制御部８２が送信完了情報を受信した場合は、レシピ情報に含まれる全ての工程情報を通信制御部８２が受信したと判断することができる。この構成によれば、レシピ情報に含まれる全ての工程情報を通信制御部８２が受信するまで加熱調理器１０と外部端末１００との通信を維持することができる。
【００６３】
（対応関係）
通信制御部８２がレシピ情報に含まれる全ての工程情報を受信した場合（Ｓ４２でＹＥＳ）が、「所定条件が成立した場合」の一例である。
【００６４】
（第４実施例）
（給電終了処理；図９）
第４実施例に係る給電終了処理について説明する。第４実施例に係る給電終了処理では、第１実施例に係る給電終了処理（図７参照）のＳ２４の処理に代えて、図９に示すように、Ｓ５０、Ｓ５２の処理が実行される。
【００６５】
Ｓ５０では、スイッチ制御部５０が、加熱調理器１０と外部端末１００との間でＢＴ接続が確立されたか否かを判断する。スイッチ制御部５０は、通信制御部８２にアクセスすることによってＢＴ接続が確立されたか否かを判断することができる。ＢＴ接続が確立された場合は、スイッチ制御部５０がＹＥＳと判断してＳ２２に戻る。Ｓ２２では、スイッチ制御部５０が、通信用スイッチ９４をオフにするタイミングを計測するためのタイマーを再びセットする。Ｓ５０でＢＴ接続が確立されていない場合は、スイッチ制御部５０がＮＯと判断してＳ５２に進む。
【００６６】
続くＳ５２では、スイッチ制御部５０が、Ｓ２２でタイマーセットした所定時間（例えば１分）が経過したか否かを判断する。所定時間が経過した場合は、スイッチ制御部５０がＹＥＳと判断してＳ２６に進む。そうでない場合は、スイッチ制御部５０がＮＯと判断してＳ５０に戻る。
【００６７】
以上、第４実施例について説明した。以上の説明から明らかなように、第４実施例では、スイッチ制御部５０が、加熱用スイッチ９０がオフになった後に加熱調理器１０と外部端末１００との間でＢＴ接続が確立された場合は、通信用スイッチ９４をオフにしない。スイッチ制御部５０は、ＢＴ接続が解除された後に、タイマーセットした所定時間が経過した場合は通信用スイッチ９４をオフにする。加熱調理器１０と外部端末１００との間でＢＴ接続が確立された場合は、例えばレシピ情報の送受信が行われる可能性がある。このような場合に、上記の構成によれば、加熱調理器１０と外部端末１００との通信が切断されることを回避することができる。また、ＢＴ接続が解除されたとしても、タイマーセットされた所定時間が経過するまでは通信制御部８２への給電が維持されるので、ＢＴ接続が再び確立された場合に情報の送受信を行うことができる。例えば、加熱調理器１０のユーザが誤ってＢＴ接続を解除してしまったとしても、再びＢＴ接続を確立することによって情報の送受信を続行することができる。
【００６８】
（対応関係）
ＢＴ接続が「所定の通信接続」の一例である。
【００６９】
（他の実施例）
上記の実施例では、主にコンロバーナ１２ａについて説明したが、他のコンロバーナ１２ｂ、１２ｃ及びグリルバーナ１２ｄについても同様の技術を適用することができる。同様に、上記の実施例では、主にコンロ加熱量操作部６１ａについて説明したが、他のコンロ加熱量操作部６１ｂ、６１ｃ及びグリル加熱量操作部６１ｄについても同様の技術を適用することができる。
【００７０】
上記の実施例では、「電源」が乾電池３４であったが、他の実施例では、「電源」が家庭用のＡＣ電源であってもよい。
【００７１】
他の実施例では、加熱調理器１０は、ＩＨ式のビルトインコンロ等であってもよい。
【００７２】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７３】
１：加熱調理器システム、１０：加熱調理器、１０ａ：本体、１２ａ：コンロバーナ、１４ａ：コンロ表示部、１８ａ：コンロ点火プラグ、３０：電源ボタン、３２：電池収容部、３４：乾電池、４０ａ：コンロガス供給路、４２ａ：コンロ安全弁、４４ａ：コンロ流量調整弁、５０：スイッチ制御部、６１ａ：コンロ加熱量操作部、６２ａ：コンロパネル操作部、７０：加熱制御用基板、７２：加熱制御部、７４：第１メモリ、８０：通信制御用基板、８２：通信制御部、８４：第２メモリ、８６：ＢＴインターフェース、９０：加熱用スイッチ、９４：通信用スイッチ、１００：外部端末、１０２：表示操作部、１２０：端末制御用基板、１２２：端末制御部、１２４：端末メモリ、１２６：ＢＴインターフェース
【図１】
2020165588.tif 000003
【図２】
2020165588.tif 000004
【図３】
2020165588.tif 000005
【図４】
2020165588.tif 000006
【図５】
2020165588.tif 000007
【図６】
2020165588.tif 000008
【図７】
2020165588.tif 000009
【図８】
2020165588.tif 000010
【図９】
2020165588.tif 000011